(57)【特許請求の範囲】
【請求項１】
先端部が先鋭になっている脚部とボール支持部から成り、
前記ボール支持部は、ゴルフティーの軸を中心とする円周上に等間隔に配置された複数本の支柱を有し、
前記の各支柱の長手方向に、支柱内側から外側に貫通する長孔を上下２箇所に設けたことを特徴とするゴルフティー。
【請求項２】
支柱の本数は６〜８本であり、各支柱の長さは３０ｍｍ前後、その頂点の先端部が外側に概ね３０度傾斜していることを特徴とする請求項１に記載のゴルフティー。
【発明の詳細な説明】
【技術分野】
【０００１】
クラブの良好な振り抜けと飛距離アップを狙いとして、細く長い支柱を活用したゴルフティーに関する。
【背景技術】
【０００２】
ゴルファーにとって理想的なティーとは、クラブの良好な振り抜けと飛距離アップとを可能とするティーである。
そのため、多数のティーに関するアイデアが特許・実用新案登録出願されている。
本出願人も、特許文献１において、複数本の長く細い支柱の上にボールを載せ、ボールの移動にともない支柱がなびき、傾斜した各支柱の真上の空間をクラブが振り抜けていくことを可能とするティーを提案した。
【０００３】
上記特許文献１に記載されたティーは、飛距離がのび、最近の大型のゴルフヘッドにも対応できるという利点がある。このティーでは、ボールを載せる支柱（以下、「リフト」ということもある）の長さを１０ｍｍ前後としている。
ところで、一般的にリフト型ティーは６〜８本のリフトで構成されている。これらリフト型ティーの多くは、地中にティーを突き刺す際にリフト先端部にボールを載せてボールの上から手のひらを押しあてて下方へ向かう力を加えていた。そのため、リフトが座屈しないように太さは１ｍｍ〜１．５ｍｍ位で、長さは最長でも１０ｍｍくらいとしていたのである。しかしながら、これでは宙に浮くボールをショットしたい、アッパーブローで打ち抜きたいというゴルファーの理想は実現できない。
【０００４】
一方、リフトを長くするという点では、ブラシ型のティーがあるが、約３００本のリフトでブラシが形成されているので、宙に浮いたような感覚を得ることはできない。
そのため、ゴルファーの間では、細く長く、かつ抵抗無くショットに耐えるための柔軟なリフト型のティーが望まれていた。そこで、本発明者は、宙に浮いたような感覚でボールをショットしたいというゴルファーの思いを実現するために、長さ３０ｍｍくらいのリフトを持つティーを提供することを課題としてきた。かかる問題意識のもと、本発明者は、長さが３０ｍｍ超の複数本の支柱を有し、環状部材で複数の支柱を束ねるゴルフティーを出願した（特願２０２０−１６６３４６）。
【先行技術文献】
【特許文献】
【０００５】
【特許文献１】特開２０１９−１８１２０８号公報
【発明の概要】
【発明が解決しようとする課題】
【０００６】
特願２０２０−１６６３４６に開示したゴルフティーでは、各支柱の基本形状を板状にした。また、ティーショット時に支柱の先端部にボールを載せるので、ボールの重量によって支柱が曲がることのないように剛性の大きい材料を使うことにした。
形状が板状であるために、正面からの衝撃には前後に振れ（図３の（１）を参照）、支柱はなびきその上をボールが飛び出していくので、飛距離アップにつながる。しかし、ボールが斜め方向に飛び出していくと、正面から飛び出す場合に比べて支柱の変形（ボールの進行方向に前傾し曲がる。以下「なびき」ということもある。）が小さくなる（図３の（２）を参照）。例えば、正面に対して４５度斜めの方向からショットされたとき、ショットによる外力は約７０％に減少してしまう。剛性の大きい材料は変形させるのに大きな外力を必要とするので、斜め方向から外力が加えられると、正面から加えた場合よりも減殺されるので変形しづらくなる。そのため、長い支柱に載った状態でボールがショットされたとしても、支柱が十分になびかず、ボールが飛び出していく際に抵抗を受けることになる。そのボールに続くクラブは、振り抜け時の抵抗が大きく、飛距離に影響してくる。つまり、長い支柱を形成したとしても、斜め方向からのショット時の抵抗を軽減しないと、支柱の長さのもたらす利点を享受できない。
そこで本発明は、斜め方向からクラブによる衝撃を受けた場合も正面から衝撃を受けた場合と同様に支柱がなびくゴルフティーを提供することを課題とした。
【課題を解決するための手段】
【０００７】
前記目的を達成するため、請求項１にかかるゴルフティーは、
先端部が先鋭になっている脚部とボール支持部から成り、
前記ボール支持部は、ゴルフティーの軸を中心とする円周上に等間隔に配置された複数本の支柱を有し、
前記の各支柱の長手方向に、支柱内側から外側に貫通する長孔を上下２箇所に設けたことを特徴とする。
このように長孔を設けたことにより、支柱が斜め方向からショットされた場合、捻じれを伴うかたちで長孔の幅が狭まる。これにより、支柱断面が変形し、その結果支柱はボールのショットされた方向に前傾し倒れるので、ボールは目標方向にほとんど抵抗を受けることなく飛び出していくのである。
【０００８】
請求項２に係る発明は、請求項１に記載のゴルフティーにおいて、支柱の本数は６〜８本であり、各支柱の長さは３０ｍｍ前後、その頂点の先端部が外側に概ね３０度傾斜していることを特徴とする。
これにより、ショット時には長い支柱の先端部にボールを安定した状態で載せることができる。
【発明の効果】
【０００９】
本発明のティーを使用すると、ゴルファーはボールを宙に浮いたような感覚でショットすることができる。
【図面の簡単な説明】
【００１０】
【図１】実施の形態のティーの（１）全体斜視図、（２）ボール支持部の斜視図および（３）ティー本体の斜視図である。
【図２】実施の形態のティーが備える支柱の（１）正面図、（２）側面図および（３）斜視図である。
【図３】（１）、（２）は板状の支柱が打撃によって変形する状態、（３）は長孔が設けられた支柱が打撃によって捻じれる状態を説明する図である。
【図４】実施の形態のティーの支柱の並びにクラブによる衝撃が加えられる方向を説明する図である。
【図５】実施の形態のティーの各支柱が一方向からのクラブの打撃によって倒れる状態を説明する図である。
【図６】実施の形態のティーの支柱が外側の右角からのクラブの打撃によって変形し、倒れる状態を説明する図である。
【発明を実施するための最良の形態】
【００１１】
本発明の実施の形態のティー１について、図面を参照しながら説明する。
以下の説明において、「上方」あるいは「上面」といった表現をするときの「上」とは、ティーの機能上の上方をいう。即ち、ティーは、地面あるいは芝に一方の先端部を突き刺し、他方の先端部にゴルフボールを載せて用いるが、以下の説明では、ボールを載せる側を「上」、地中に突き刺す側を「下」と表現している。
【００１２】
ティー１は、図１の斜視図に示すように、ティー本体２と、ボール支持部３とから構成される。
【００１３】
ティー本体２は、下方の脚部２１と上方の台座部２２とが一体に形成されている。このティー本体２は、強度のある合成樹脂を用いて一体成形すればよいが、木製でもよい。
脚部２１は、地面あるいは芝に容易に突き刺せるように下端部が先細に尖っている。
台座部２２は、ボール支持部３の支柱取付部３２をはめ込む台座である。
【００１４】
脚部２１の上部には概ね三角形状の矢羽根板２３が３箇所設けられている。この矢羽根板２３は、ティー１を容易に地中に刺し込めるようにするためのものである。
支柱３１の長さが３０ｍｍ超ともなると、ティー１の全長が長くなってしまう。ゴルフ用品業界では、ティーの全長は１００ｍｍと規制されている。ティー１は支柱が３０ｍｍ以上なので、地中に差し込む部分を４０ｍｍ以下に抑えなければならない。地中に差し込む脚部２１に矢羽根板２３を付けると、この矢羽根板２３が地面へ突き刺す際のガイドとなって、地中へ押し込む力を集中させやすく水平方向に動く力を抑制できる。したがって、ティー１を指の力だけで容易に地中に刺し込むことができる。また、従来のティーに比べ、地中において土砂と接する面積が大きくなるので、ショット時の衝撃を受けても土中から抜けにくくなる。
【００１５】
ボール支持部３は、複数本の支柱３１と、各支柱３１の下部を１本ずつ刺し込む縦穴が形成された支柱取付部３２から構成される。
支柱取付部３２は、台座部２２に装着され、複数本の支柱３１が支柱取付部３２の上方にやや外側に傾斜気味に突き出る。そして先端部３１１は、若干外側に向かって曲がっている。
【００１６】
支柱取付部３２から突き出た各支柱３１の長さは３０ｍｍ超えも可能であり、このような支柱が長いティーでは、ショット前のボール後方のスペースが空くので、近年人気の大型ヘッドのドライバーであっても、窮屈感なくショットに臨める。
支柱３１の本数は６〜８本が適当であり、各支柱３１は、支柱取付部３２から上方に向かって細くなる。各支柱３１は、ティー１の軸を中心とする円周上に等間隔に配置され、ショット時に支柱３１上に載せられたボールは、その先端部３１１で支持される。先端部３１１は外側に向かって約３０度傾いているので、安定した状態でボールを支えることができる。
【００１７】
従来の支柱は、長くても８ｍｍくらいであった。ティー１では３０ｍｍ超もある長い支柱３１とするために可撓性を有し、細くても十分に強靭で弾力復元性を有するナイロンなどの合成樹脂を素材として採用することにした。
ティー１の支柱３１として想定している寸法を、図２に従い例示する。なお、図２（１）は支柱３１の正面図、図２（２）は側面図、図２（３）は斜視図である。
支柱３１の上端部の幅は１．５ｍｍ、根元部の幅は２．５ｍｍ、長さは３２ｍｍ、上端部の厚さは０．５ｍｍ、根元部の厚さは１ｍｍである。このように、幅に比べて厚さを小さくしたのは、ショット時に曲がりやすくするためである。各支柱３１の先端から５ｍｍ下方には、長さ１０ｍｍで幅が約１ｍｍの長孔３１２を設け、その下方２ｍｍ下がったところからさらに長さ１０ｍｍの長孔３１２を設ける。この長孔３１２は、支柱３１の内側（すなわちティー１の軸寄りの側）から外側に向かって貫通する。
【００１８】
図３（１）に示すように、板状の支柱は矢印Ａ方向のように支柱正面から押されると前方に曲がる。図３（２）は、板状の支柱が矢印Ｂ方向から支柱の角を押された状態を示すが、その変形は小さい。図３（１）と（２）を比べてみればわかるように、支柱の正面から押された場合と支柱の角方向を押された場合とでは、なびきの度合いが異なる。このように支柱が板状であるために６本の支柱がクラブの抜け方向に揃って振れることはない。そのため、ショットは振りぬけがよくない。
そこで、図３（３）に示すような１個の細長い貫通孔を設定してテストをした結果、矢印Ｃ方向の角からの圧力に対して、捻じれて抵抗を逃がせることが明らかになった。
次に、１個の貫通孔を中途で分断し２個にしてテストしたところ、衝撃時の捻じれを収束して、６本の支柱全体で衝撃を吸収することも判明した。つまり、長さが２０ｍｍの１個の長孔よりも、１０ｍｍの長孔を上下に２個設けたほうが効果的なのである。
【００１９】
以下、このティー１の使用について説明する。
ゴルファーは、支柱３１にボールを載せずに、ティー１の脚部２１を指でつかみ、地面に突き刺す。地面に突き刺したなら、支柱３１の上にゴルフボールを載せる。
【００２０】
図４に示すように、ショット時のクラブの面の通過は、支柱３１に対して正面方向、右角方向、左角方向と最低でも３方向あるが、いずれの方向であってもクラブがボールに触れて飛行方向へボールを押し出し、各支柱３１は飛行方向前方へ倒れる。その結果、振り抜けのよいショットが可能となるのである。なお、図４において左（右）角とは支柱３１を外側から内側に向かって見たときの左（右）側の角をいう。
【００２１】
図５に従い、各支柱３１のショットに伴う変形状態を説明する。図中、実線の矩形は支柱３１であり、破線の矩形は長孔３１２の支柱長手方向と直交する断面を表す。白抜きの矢印はショットによる衝撃の方向を表す。
支柱３１ａ、３１ｂは、いずれも正面を向いてショットを受け、クラブと同じ方向にまっすぐに倒れる。支柱３１ｃ〜３１ｆは、ショットの衝撃を長孔３１２の角に受け、やや捻じれてクラブの進行方向の前方へ倒れていく。なお、図５において支柱３１ｃ〜３１ｆのそれぞれ２箇所を始点とする矢印は各支柱３１が捻じれながら倒れる方向を示している。
図６では、支柱３１が右角にショットの衝撃を受け、長孔３１２の幅が狭まって支柱３１の形状が変化して、クラブの進行方向の前方へ倒れる状態を説明する。支柱３１の左角にショットの衝撃を受けた場合も同様である。
【００２２】
正面に向かって立つ支柱３１ａ、３１ｂは、飛び出していくボールが当たったときは、ボールの移動方向に折れ曲がり、ボールはその空いた上空間を飛び出していく。一方、斜め方向に立つ支柱３１ｃ〜３１ｆは、ショットされたボールがその飛び出し方向に支柱と接触して進む。このとき、長孔が２箇所にあるので、図６に示すように支柱が変形し、ボールに続くクラブは、変形した支柱をかすめて、振りぬけていく。
このように、ゴルフプレーのショット時、ほぼ正面に向く支柱は前後に振れてクラブの衝撃をかわす。斜め方向へ向いている支柱は、角を押されたときは、支柱は捻じれてクラブが振りぬけていく。支柱３１の構造は、貫通孔があることで枠組となり、変形が容易に起きる。
ここで、貫通孔が１つであった場合、前傾し９０度を超えて捻じれることもあり、これでは支柱の形状が維持できない。これも貫通孔を２個とした理由である。
【００２３】
上記の実施形態では、複数本の支柱３１を支柱取付部３２に１本ずつ取り付けていた。
しかし、複数本の支柱と支柱取付部とを一体に成形し、これをティー本体２の台座部２２に嵌め込んでもよい。
【００２４】
上記の実施形態では、地中に刺し込む部分に、等間隔に３箇所の矢羽根板２３が形成されていたが、複数箇所あればよい。要は、地中での刺し込みの長さが小さくても地中において土砂と接する面積が大であればよいのである。
また、支柱３１の本数は６本に限るものではなく、ボールの重量や支柱３１の材質などを考慮し、ボールを支持できるだけの本数とすればよい。例えば、８本でもよい。ただし、抵抗の少ないショットをするために、６〜８本くらいが適当である。
【産業上の利用可能性】
【００２５】
本発明のティーは、ゴルフクラブの良好な振り抜けを可能とし、飛距離がのび、最近の大型のゴルフヘッドにも対応できることから、多くの需要が期待できる。
【符号の説明】
【００２６】
１：ティー
２：ティー本体
２１：脚部
３：ボール支持部
３１：支柱
３１１：先端部
３１２：長孔
３２：支柱取付部
【要約】
【課題】クラブの良好な振り抜けと飛距離アップを狙いとして、細く長い支柱を活用したゴルフティーを提供する。
【解決手段】先端部が先鋭になっているティー本体２とボール支持部３から成り、ボール支持部３は、ティー１の軸を中心とする円周上に等間隔に配置された複数本の支柱３１を有する。載せたボールの重みで破損しないように、支柱３１には剛性の大きい材料を用いるが、剛性が大きいと支柱３１は斜め方向からのショットによる衝撃に対して変形しづらい。そこで、各支柱３１の長手方向に支柱内側から外側に貫通する長孔３１２を上下２箇所に設けることとした。
【選択図】図１【図１】
0006895594.tif 000002
【図２】
0006895594.tif 000003
【図３】
0006895594.tif 000004
【図４】
0006895594.tif 000005
【図５】
0006895594.tif 000006
【図６】
0006895594.tif 000007